(57)【特許請求の範囲】
【請求項１】
複数の立体画像を選択する第１の選択手段，
共通の視差量となるように，上記第１の選択手段によって選択された複数の立体画像を拡大または縮小する調整手段，および
上記調整手段によって拡大または縮小された複数の立体画像を，重ならないように台紙画像に貼り付ける立体画像貼り付け手段，
を備えた立体画像貼り付けシステム。
【請求項２】
上記第１の選択手段は，複数のページから構成される電子アルバムに貼り付ける複数の立体画像を選択するものであり，
上記立体画像貼り付け手段によって複数の立体画像が貼り付けられる上記台紙画像が，上記電子アルバムを構成する１または複数のページである，
請求項１に記載の立体画像貼り付けシステム。
【請求項３】
上記立体画像貼り付け手段は，
上記調整手段によって拡大または縮小された複数の立体画像のうちいずれか一つの立体画像を選択する第２の選択手段，および
上記第２の選択手段によって選択された一つの立体画像を，他の立体画像と重ならないように貼り付ける余白領域が上記ページに存在するかどうかを判定する判定手段を備え，
上記判定手段によって上記余白領域が存在すると判定されたことに応じて，上記第２の選択手段によって選択された立体画像を上記余白領域に貼り付けるものであり，
上記第２の選択手段による選択および上記判定手段による判定処理を繰り返す制御手段をさらに備えた，
請求項２に記載の立体画像貼り付けシステム。
【請求項４】
上記立体画像貼り付け手段は，
上記判定手段によって上記余白領域が存在しないと判定されたことに応じて，上記第２の選択手段によって選択された立体画像を次のページに貼り付けるものである，
請求項３に記載の立体画像貼り付けシステム。
【請求項５】
上記立体画像貼り付け手段は，
上記判定手段によって上記余白領域が存在しないと判定されたことに応じて，上記余白領域が存在しないと判定された上記ページに貼り付けられている立体画像を縮小する縮小手段を備えている，
請求項４に記載の立体画像貼り付けシステム。
【請求項６】
上記立体画像貼り付け手段は，
上記縮小手段により縮小された立体画像の視差量が所定のしきい値以上であり，かつ上記縮小手段により上記ページに上記余白領域が生成されたことに応じて，生成された余白領域に上記第２の選択手段によって選択された立体画像を貼り付けるものである，
請求項５に記載の立体画像貼り付けシステム。
【請求項７】
上記立体画像貼り付け手段は，
立体画像の視差量が大きい部分同士が近接するように台紙画像に貼り付けるものである，
請求項１から６のうち，いずれか一項に記載の立体画像貼り付けシステム。
【請求項８】
上記ページが見開きの１ページであり，
上記立体画像貼り付け手段は，
視差量の大きい部分が内側となるように上記ページに貼り付けるものである，
請求項２から６のうち，いずれか一項に記載の立体画像貼り付けシステム。
【請求項９】
上記調整手段は，
上記第１の選択手段によって選択された複数の立体画像に含まれる所定の対象物の視差量が共通となるように，複数の立体画像を拡大または縮小するものである，
請求項１から８のうち，いずれか一項に記載の立体画像貼り付けシステム。
【請求項１０】
複数の立体画像のうち上記所定の対象物が含まれていない立体画像の視差量を０とする制御手段，
をさらに備えた請求項９に記載の立体画像貼り付けシステム。
【請求項１１】
ページごとに上記所定の対象物を決定する請求項９または10に記載の立体画像貼り付けシステム。
【請求項１２】
上記共通の視差量を設定する視差量設定手段をさらに備えた請求項１から11のうち，いずれか一項に記載の立体画像貼り付けシステム。
【請求項１３】
選択手段が，複数の立体画像を選択し，
調整手段が，共通の視差量となるように，上記第１の選択手段によって選択された複数の立体画像を拡大または縮小し，
立体画像貼り付け手段が，上記調整手段によって拡大または縮小された複数の立体画像を，重ならないように台紙画像に貼り付ける，
立体画像貼り付けシステムの動作制御方法。
【請求項１４】
立体画像貼り付けシステムのコンピュータを制御するコンピュータが読み取り可能なプログラムであって，
複数の立体画像を選択させ，
共通の視差量となるように，選択された複数の立体画像を拡大または縮小させ，
拡大または縮小された複数の立体画像を，重ならないように台紙画像に貼り付けるように立体画像貼り付けシステムのコンピュータを制御するプログラム。
【発明の詳細な説明】
【技術分野】
【０００１】
この発明は，立体画像貼り付けシステムならびにその動作制御方法およびその制御プログラムに関する。
【背景技術】
【０００２】
コンピュータを利用して電子アルバムを作成する場合，自動的にレイアウトが決定されるものがある（特許文献１）。立体画像を表示する場合に，立体画像の飛び出し量が一意に決まらないので取り出し量を調整するもの（特許文献２），画像の拡大，縮小により飛び出し量が変化するので，変化した飛び出し量が視差範囲内かどうか判別するもの（特許文献３）などがある。
【０００３】
電子アルバムに貼り付ける画像は二次元画像が前提であり，立体画像を貼り付けることは考えられていない。電子アルバムに立体画像を貼り付けた場合，立体画像の視差量が変わると，貼り付けられた立体画像同士が重なってしまうことがある。電子アルバムに限らず，ポスト・カードのような台紙画像に複数の立体画像を貼り付ける場合にも，このような問題が起きることがある。
【先行技術文献】
【特許文献】
【０００４】
【特許文献１】特開2009-223764号公報
【特許文献２】特開2010-45584号公報
【特許文献３】特許第4259913号
【発明の概要】
【０００５】
この発明は，台紙画像に立体画像を貼り付けた場合に立体画像同士が重ならないようにすることを目的とする。
【０００６】
この発明による立体画像貼り付けシステムは，複数の立体画像を選択する第１の選択手段，共通の視差量（飛び出し量）となるように，上記第１の選択手段によって選択された複数の立体画像を拡大または縮小する調整手段，および上記調整手段によって拡大または縮小された複数の立体画像を，重ならないように台紙画像に貼り付ける立体画像貼り付け手段を備えていることを特徴とする。
【０００７】
この発明は，上記立体画像貼り付けシステムに適した動作制御方法も提供している。すなわち，この方法は，選択手段が，複数の立体画像を選択し，調整手段が，共通の視差量となるように，上記第１の選択手段によって選択された複数の立体画像を拡大または縮小し，立体画像貼り付け手段が，上記調整手段によって拡大または縮小された複数の立体画像を，重ならないように台紙画像に貼り付けるものである。
【０００８】
この発明は，上記立体画像貼り付けシステムの動作制御方法を実現するためのコンピュータが読み取り可能なプログラムも提供している。そのようなプログラムを格納した記録媒体を提供するようにしてもよい。
【０００９】
この発明によると，台紙画像（１フレームの無地または飾りが含まれている画像，テンプレートと呼ばれるものなどでもよいし，後述のように電子アルバムを構成する１ページまたは複数ページが台紙画像でもよい）に貼り付ける複数の立体画像が選択される。共通の視差量（たとえば，台紙画像に規定されている立体画像の視差量）となるように，選択された複数の立体画像が拡大または縮小される。拡大または縮小された複数の立体画像が，重ならないように，台紙画像に貼り付けられる。立体画像が台紙画像に規定されている視差量となるように拡大または縮小されても，その拡大または縮小後の立体画像が重ならないので，見やすくなる。
【００１０】
上記第１の選択手段は，複数のページから構成される電子アルバムに貼り付ける複数の立体画像を選択するものでもよい。その場合，上記立体画像貼り付け手段によって複数の立体画像が貼り付けられる上記台紙画像は，上記電子アルバムを構成する１または複数のページとなろう。
【００１１】
上記立体画像貼り付け手段は，たとえば，上記調整手段によって拡大または縮小された複数の立体画像のうちいずれか一つの立体画像を選択する第２の選択手段，および上記第２の選択手段によって選択された一つの立体画像を，他の立体画像と重ならないように貼り付ける余白領域が上記ページに存在するかどうかを判定する判定手段を備える。また，上記判定手段によって上記余白領域が存在すると判定されたことに応じて，上記第２の選択手段によって選択された立体画像を上記余白領域に貼り付けるものであり，上記第２の選択手段による選択および上記判定手段による判定処理を繰り返す制御手段をさらに備えることが好ましい。
【００１２】
上記立体画像貼り付け手段は，たとえば，上記判定手段によって上記余白領域が存在しないと判定されたことに応じて，上記第２の選択手段によって選択された立体画像を次のページに貼り付けるものである。
【００１３】
上記立体画像貼り付け手段は，上記判定手段によって上記余白領域が存在しないと判定されたことに応じて，上記余白領域が存在しないと判定された上記ページに貼り付けられている立体画像を縮小する縮小手段を備えてもよい。
【００１４】
上記立体画像貼り付け手段は，たとえば，上記縮小手段により縮小された立体画像の視差量が所定のしきい値以上であり，かつ上記縮小手段により上記ページに上記余白領域が生成されたことに応じて，生成された余白領域に上記第２の選択手段によって選択された立体画像を貼り付けるものである。
【００１５】
また，上記立体画像貼り付け手段は，立体画像の視差量が大きい部分同士が近接するように台紙画像に貼り付けるものでもよい。
【００１６】
さらに，上記ページが見開きの１ページの場合には，上記立体画像貼り付け手段は，たとえば，視差量の大きい部分が内側となるように上記ページに貼り付けるものである。
【００１７】
上記調整手段は，たとえば，上記第１の選択手段によって選択された複数の立体画像に含まれる所定の対象物の視差量が共通となるように，複数の立体画像を拡大または縮小するものである。
【００１８】
複数の立体画像のうち上記所定の対象物が含まれていない立体画像の視差量を０とする制御手段をさらに備えてもよい。
【００１９】
ページごとに上記所定の対象物を決定してもよい。
【００２０】
上記共通の視差量を設定する視差量設定手段をさらに備えてもよい。
【図面の簡単な説明】
【００２１】
【図１】（Ａ）は左目用画像を，（Ｂ）は右目用画像を示している。
【図２】立体画像の一例である。
【図３】拡大された立体画像の一例である。
【図４】パーソナル・コンピュータの電気的構成を示すブロック図である。
【図５】編集用ウインドウの一例である。
【図６】電子アルバム生成処理手順を示すフローチャートである。
【図７】選択された立体画像の一例である。
【図８】自動レイアウト処理手順を示すフローチャートである。
【図９】拡大または縮小された立体画像の一例である。
【図１０】ページへの立体画像の配置順序を示している。
【図１１】（Ａ）および（Ｂ）はページに立体画像を貼り付けた様子を示している。
【図１２】ページに立体画像を貼り付けた様子を示している。
【図１３】ページに立体画像を貼り付けた様子を示している。
【図１４】ページに立体画像を貼り付けた様子を示している。
【図１５】ページに立体画像を貼り付けた様子を示している。
【図１６】ページに立体画像を貼り付けた様子を示している。
【図１７】ページに立体画像を貼り付けた様子を示している。
【図１８】ページに立体画像を貼り付けた様子を示している。
【図１９】ページに立体画像を貼り付けた様子を示している。
【図２０】自動レイアウト処理手順の一部を示すフローチャートである。
【図２１】ページに立体画像を貼り付けた様子を示している。
【図２２】ページに立体画像を貼り付けた様子を示している。
【図２３】ページに立体画像を貼り付けた様子を示している。
【図２４】ページに立体画像を貼り付けた様子を示している。
【図２５】視差量調整処理手順を示すフローチャートである。
【実施例】
【００２２】
まず，立体画像が拡大（縮小）することにより，視差量が大きく（小さく）なることを説明する。
【００２３】
図１（Ａ）は矩形の左目用画像１Ｌを示し，図１（Ｂ）は矩形の右目用画像１Ｒを示している。
【００２４】
立体画像を表示する場合には，観賞者の左目で見る左目用画像１Ｌと観賞者の右目で見る右目用画像１Ｒとが必要である。これらの左目用画像１Ｌと右目用画像１Ｒとが水平方向にずらされて重ね合わせられると，立体画像となる。水平方向のずれ量が視差量となる。
【００２５】
図２は，立体画像を示している。
【００２６】
上述のように，左目用画像１Ｌと右目用画像１Ｒとが水平方向にずらされて重ね合わせられると，観賞者は重複画像部分２を立体画像として見ることができる。
【００２７】
視差量Ｌ１は，たとえば，左目用画像１Ｌと右目用画像１Ｒとから構成される立体画像にあらかじめ付与されているものである。
【００２８】
図３は，拡大された立体画像を示している。
【００２９】
立体画像（左目用画像１Ｌ，右目用画像１Ｒ）が拡大されると，視差量が増える（視差量Ｌ２＞Ｌ１）。このために，左目用画像１Ｌと右目用画像１Ｒとを水平方向に離すことにより視差量を増やすだけでなく，左目用画像１Ｌと右目用画像１Ｒとを拡大することにより視差量を大きくすることができる。また，同様に左目用画像１Ｌと右目用画像１Ｒとを縮小することにより視差量を小さくすることができる。
【００３０】
しかしながら，電子アルバムに立体画像を貼り付けたあとに立体画像を拡大または縮小することにより視差量を変えると，立体画像同士が重なってしまうことがある。この実施例は，立体画像同士が重ならないようにするものである。
【００３１】
図４は，この発明の実施例を示すもので，電子アルバムを生成するパーソナル・コンピュータ10の電気的構成を示すブロック図である。この実施例では，パーソナル・コンピュータ10は，インターネットを介してサーバ・コンピュータ（図示略）と通信する。サーバ・コンピュータと通信しながら，ユーザはパーソナル・コンピュータ10を用いて電子アルバムを作成する。もちろん，サーバ・コンピュータと通信せずに電子アルバムを生成してもよいし，パーソナル・コンピュータ10を用いずに，スーパー，デパート，コンビニエンス・ストアなどに置かれている店頭端末装置を利用して電子アルバムを生成することもできる。その場合には，店頭端末装置が図４に示す電気的構成をもつものとなる。
【００３２】
パーソナル・コンピュータ10の全体の動作は，ＣＰＵ12によって統括される。
【００３３】
パーソナル・コンピュータ10には，表示装置13，メモリ14，サーバ・コンピュータと通信するための通信装置15，およびキーボード，マウスなどの入力装置16が含まれている。また，パーソナル・コンピュータ10には，多数の画像を表わす画像データなどが記録されているハード・ディスク20およびハード・ディスク20にアクセスするためのハードディスク・ドライブ19が含まれている。さらに，パーソナル・コンピュータ10には，後述する動作を制御するプログラムが格納されているCD-ROM18にアクセスするCD-ROMドライブ17も含まれている。CD-ROM18に格納されているプログラムがCD-ROMドライブ17によって読み取られ，読み取られたプログラムがパーソナル・コンピュータ10にインストールされることにより，パーソナル・コンピュータ10が後述するように動作する。もっとも動作プログラムは，CD-ROM18のようなパーソナル・コンピュータ10に着脱自在な記録媒体に格納されていなくとも，ネットワークを介してパーソナル・コンピュータ10にダウンロードされて，パーソナル・コンピュータ10にインストールされるようにしてもよい。
【００３４】
図５は電子アルバム編集用ウインドウ30の一例である。
【００３５】
以下，電子アルバムの生成処理について説明するが，パーソナル・コンピュータ10は，サーバ・コンピュータとすでに接続しており，パーソナル・コンピュータ10の表示装置13の表示画面には図５に示す電子アルバム編集用ウインドウ30が表示されているものとする。
【００３６】
編集用ウインドウ30の左下部には，画像表示領域31が形成されている。この画像表示領域31に，ハード・ディスク20に格納されている画像データによって表わされる画像（ユーザの画像）32が表示されている。店頭端末装置を用いて電子アルバムを作成する場合には，ユーザは画像データが記録されているメモリ・カードなどの記録媒体を持参し，その記録媒体から画像データが読み取られ，読み取られた画像データによって表される画像が画像表示領域31に表示されるのはいうまでもない。そのような場合には，店頭端末装置にはメモリ・カード・リーダが設けられる。画像表示領域31の右側にはスクロール・ボタン33が形成されている。スクロール・ボタン33はカーソル（図示略）によって上下に移動自在である。スクロール・ボタン33がカーソルによって上下に移動させられることにより，画像表示領域31に現れていない画像が画像表示領域31に現れる。
【００３７】
上述したように，この実施例では電子アルバムに立体画像を表示させることができる。画像表示領域31に表示されている画像32も立体画像である。
【００３８】
編集用ウインドウ30の上部には，電子アルバムを構成するページの画像35が表示されるページ表示領域34が形成されている。ページ表示領域34の下にはスクロール・ボタン36が形成されている。スクロール・ボタン36もカーソル（図示略）によって左右に移動自在である。スクロール・ボタン36がカーソルによって左右に移動させられることにより，ページ表示領域34に現れていないページの画像がページ表示領域36に現れる。
【００３９】
編集用ウインドウ30のほぼ全体にわたって電子アルバムを構成するページを編集する編集領域38が形成されている。ページ表示領域34に表示されているページの画像の中から所望のページの画像が選択されると（たとえば，ドラッグ・アンド・ドロップにより選択されると），その選択されたページの画像が編集領域38に表示されるが，この実施例では，フリー・レイアウトの電子アルバムが選択されるものとする。フリー・レイアウトの電子アルバムは，後述するように，各ページに画像貼り付け領域があらかじめ定められているものではなく，立体画像が自動的にレイアウトされるものである。
【００４０】
編集領域38には，フリー・レイアウトの電子アルバムを構成する左側のページ40Ｌおよび右側のページ40Ｒが表示されている。
【００４１】
編集用ウインドウ30の右側には，視差量調整，文字合成，画像削除，画像の色変換など行うための編集用ボタン37が形成されている。
【００４２】
図６は，電子アルバム生成処理手順を示すフローチャートである。すでにフリー・レイアウトの電子アルバムが選択されているものとする。
【００４３】
画像表示領域31に表示されている立体画像の中から電子アルバムに貼り付ける多数の立体画像がユーザによって選択される（ステップ51）。
【００４４】
図７は，選択された立体画像の一例を示している。
【００４５】
ユーザによって立体画像71〜7nが選択されたものとする。
【００４６】
図６に戻って，選択された立体画像は，たとえば，周りに枠が表示される。つづいて，電子アルバムに貼り付けられる立体画像の視差量がユーザによって設定される（ステップ52）。電子アルバムに貼り付けられる立体画像の視差量は共通である。編集用ボタン37を用いて，立体画像の横幅の割合を指定して視差量を設定してもよいし，編集用ボタン37を用いて具体的な数値を指定してもよい。
【００４７】
すると自動レイアウトが行われる（ステップ53）。この自動レイアウトについては後述する。
【００４８】
自動レイアウトが行われると，そのレイアウトの結果が編集用ウインドウ30に表示される（ステップ54）。
【００４９】
図８は，自動レイアウトの処理手順（図６ステップ53の処理手順）を示すフローチャートである。
【００５０】
上述のように電子アルバムに貼り付ける画像71〜7nが選択され（図７参照），かつ視差量が設定されると，設定された視差量となるように，選択された立体画像が拡大または縮小される（ステップ61）。拡大または縮小により設定された視差量とならない場合には，立体画像を構成する左目用画像と右目用画像との間を離したり，縮めたりして設定された視差量となるように立体画像が調整されてもよい。
【００５１】
図９は，選択された立体画像71〜7nが拡大または縮小されることにより，設定された視差量に調整された立体画像81〜8nを示している。
【００５２】
図８に戻って，ユーザによって選択された立体画像の数Ｎが読み取られる（ステップ62）。立体画像の数Ｎが０よりも大きければ（ステップ63でＹＥＳ），ページに配置する立体画像がユーザによって選択される（ステップ64）。拡大または縮小された立体画像81〜8nが画像表示領域31に表示され，画像表示領域31に表示されている立体画像81〜8n中からページに配置する立体画像が選択されるのはいうまでもない。
【００５３】
ページに配置する画像が選択されると，現在のページに選択された立体画像を配置する余白領域があるかどうかが判定される（ステップ65）。
【００５４】
余白領域があれば（ステップ65でＹＥＳ），その現在のページに，選択された立体画像が配置される（ステップ66）。余白領域が無ければ（ステップ65でＮＯ），次のページに，選択された立体画像が配置される（ステップ67）。
【００５５】
選択された画像数Ｎがデクレメントされ（ステップ68），再びステップ63から68の処理が繰り返される。
【００５６】
選択された画像数Ｎが０となると（ステップ63でＮＯ），ユーザによって選択されたすべての立体画像が電子アルバムに貼り付けられたこととなるので，自動レイアウト処理は終了する。
【００５７】
図10は，電子アルバムを構成するページの一例である。
【００５８】
ページ90に複数の立体画像を貼り付ける場合，矢印で示されているように，左上，右上，左下および右下の順に立体画像が貼り付けられる。
【００５９】
図11（Ａ）および（Ｂ）は，立体画像の貼り付け位置の一例を示している。
【００６０】
図11（Ａ）に示すように，ページ91に一つの立体画像101だけを貼り付ける場合には，この立体画像101がページ91の中心とされる。
【００６１】
図11（Ｂ）に示すように，ページ92に複数の立体画像102および103を貼り付ける場合には，複数の立体画像102および103が重ならずに，それらの立体画像102および103の重心がページ92の中心に近づくようにされる。
【００６２】
図12から図19は，選択された立体画像が自動レイアウトされる様子を示している。立体画像はページの昇順に貼り付けられる。
【００６３】
図12を参照して，現在のページがページ111であった場合において，立体画像81が選択されると，立体画像81を貼り付ける余白領域がページ111に存在することとなるので，そのページ111に立体画像81が貼り付けられる。
【００６４】
図13を参照して，ページ111に立体画像81が貼り付けられている場合において，次の立体画像として立体画像82が選択されたものとする。すると，ページ111には立体画像82を貼り付ける余白領域が存在しない。
【００６５】
図14を参照して，ページ111の次のページ112に立体画像82が貼り付けられることとなる。
【００６６】
図15を参照して，ページ112に立体画像82が貼り付けられている場合に立体画像83が選択されたものとする。
【００６７】
図16を参照して，ページ112には立体画像83を貼り付ける余白領域があるので，そのページ112に立体画像83が貼り付けられる。
【００６８】
図17を参照して，ページ112に立体画像82および83が貼り付けられている場合に立体画像84が選択されたものとする。
【００６９】
図18を参照して，ページ112には立体画像84を貼り付ける余白領域があるので，そのページ112に立体画像84が貼り付けられる。
【００７０】
このようにして，選択された立体画像とページの余白領域とが比較されて，余白領域に立体画像が貼り付けられる。図19に示すように，ページ111〜114などに立体画像81〜89などが貼り付けられるようになる（自動レイアウト）。
【００７１】
上述した実施例においては，複数ページから構成される電子アルバムに複数の立体画像が貼り付けられているが，ポスト・カードのような台紙画像に複数の立体画像を貼り付けるようにしてもよい。そのような場合であっても，台紙画像に貼り付けられた複数の立体画像の視差量を共通にできる。
【００７２】
また，電子アルバムではなく，複数フレームから構成されるスライドショーにも適用できる。スライドショーを構成する複数のフレームに複数の立体画像を貼り付けて，複数の立体画像の視差量を共通にできる。
【００７３】
図20は，変形例を示すもので，図８に示す自動レイアウト処理手順の一部を示すフローチャートである。図20において図８に示す処理と同一の処理については同一符号を付して説明を省略する。
【００７４】
図８に示す実施例では，現在のページに余白領域が無い場合には（ステップ65でＮＯ），次のページに画像を配置しているが（ステップ67），この変形例では現在のページに余白領域が無い場合には（ステップ65でＮＯ），現在のページに配置されている画像が縮小される（ステップ121）。
【００７５】
縮小された画像の視差量が所定のしきい値以上であれば（ステップ122でＹＥＳ），縮小により余白領域ができると（ステップ65でＹＥＳ），その余白領域に画像が貼り付けられる（ステップ66）。しきい値以上でなければ（ステップ122でＮＯ），次のページに画像が貼り付けられる（ステップ67）。次のページに画像が貼り付けられる場合，縮小された画像は元の大きさに戻してもよい。
【００７６】
図21および図22は，ページ111，112に画像81などが貼り付けられている様子を示している。
【００７７】
図21を参照して，ページ112には画像82から84が貼り付けられており，画像85を貼り付ける余白領域が無い。すると，上述したように，ページ112に貼り付けられている画像82から84が縮小される。画像82から84を含む領域を一つの画像と見なして縮小してもよい。図22に示すように，ページ112に，画像82から84が縮小された画像82Ａから84Ｂが配置される。すると，ページ112に余白領域ができる。画像85も縮小され（必ずしも縮小されなくともよい），縮小画像85Ａがページ112に貼り付けられる。
【００７８】
図23および図24は，画像配置の一例を示している。画像の視差量が考慮されて，画像が配置される。
【００７９】
一駒の画像の中では視差量は同じではなく，視差量の大きい部分が含まれている。図23に示す例では，視差量の大きい部分が各ページの中央となるように画像が配置されるものである。
【００８０】
図23を参照して，ページ112に画像131および132が配置されている。画像131のうち破線で示す部分131Ａは，その他の部分よりも視差量が大きい。同様に，画像132のうち破線で示す部分132も視差量が大きい。視差量の大きい部分131Ａおよび132Ａが近づくように画像131および132が配置される。
【００８１】
図24においては，視差量の大きい部分が見開きのページの内側となるように画像が配置される。
【００８２】
図24を参照して，左側のページ111には画像141および画像142が配置されている。破線で示す画像141の一部分141Ａおよび画像142の一部分142Ａは，その他の部分よりも視差量が大きい。このために，見開きの内側となるように（一部分141Ａおよび142Ａが右側となるように），画像141および142がページ111に配置される。
【００８３】
右側のページ112には画像143および画像144が配置されている。破線で示す画像143の一部分143Ａおよび画像144の一部分144Ａは，その他の部分よりも視差量が大きい。このために，見開きの内側となるように（一部分143Ａおよび144Ａが左側となるように），画像143および144がページ112に配置される。
【００８４】
図25は，変形例を示すもので，視差量調整処理手順（図８ステップ61の処理手順）を示すフローチャートである。
【００８５】
まず，選択された立体画像の中から所定の対象物が検出される（ステップ151）。たとえば，人物または自動車が検出される。検出された対象物の視差量が共通となるように立体画像が拡大または縮小される（ステップ152）。
【００８６】
この変形例では，所定の対象物の視差量が共通とされるので，違和感が無くなる。
【００８７】
所定の対象物は，ユーザがマニアルで指定してもよいし，ページごとに自動的に決定してもよい。たとえば，第１ページの対象物は人物，第２ページの対象物は自動車，第３ページの対象物は視差量のもっとも大きい対象物と決定できる。また，所定の対象物が含まれていない立体画像については視差量を０としてもよい。
【符号の説明】
【００８８】
10  パーソナル・コンピュータ（立体画像電子アルバム生成装置）
12  ＣＰＵ（調整手段，立体画像貼り付け手段，判定手段，制御手段）
16  入力装置（第１の選択手段，第２の選択手段）
37  編集ボタン（視差量設定手段）
【図１】
0005612548.tif 000002
【図２】
0005612548.tif 000003
【図３】
0005612548.tif 000004
【図４】
0005612548.tif 000005
【図５】
0005612548.tif 000006
【図６】
0005612548.tif 000007
【図７】
0005612548.tif 000008
【図８】
0005612548.tif 000009
【図９】
0005612548.tif 000010
【図１０】
0005612548.tif 000011
【図１１】
0005612548.tif 000012
【図１２】
0005612548.tif 000013
【図１３】
0005612548.tif 000014
【図１４】
0005612548.tif 000015
【図１５】
0005612548.tif 000016
【図１６】
0005612548.tif 000017
【図１７】
0005612548.tif 000018
【図１８】
0005612548.tif 000019
【図１９】
0005612548.tif 000020
【図２０】
0005612548.tif 000021
【図２１】
0005612548.tif 000022
【図２２】
0005612548.tif 000023
【図２３】
0005612548.tif 000024
【図２４】
0005612548.tif 000025
【図２５】
0005612548.tif 000026